(57)【要約】 【課題】  コンテンツデータを適切に録画できる記録再生装置を提供する。【解決手段】  記録再生装置２００のＣＰＵ２９０は、現在時刻が予約情報における録画開始日時であることを認識すると、この予約情報を取得する。ＣＰＵ２９０は、この予約情報と録画時間帯が重複する予約情報が存在することを認識すると、この重複する予約情報を取得する。ＣＰＵ２９０は、重複する録画予約のうちのいずれか一方に対応する予約番組を選択録画番組として設定するとともに、いずれか他方を候補録画番組として設定する。ＣＰＵ２９０は、出力装置３００からの選局チャンネル情報に基づいて、利用者が例えば候補録画番組を視聴していることを認識すると、選択録画番組の録画処理を実施する。【選択図】 図１
2006129364.tif 000002
【特許請求の範囲】
【請求項１】
配信される所定数のコンテンツデータを同一時間帯において記録媒体に記録可能なデータ処理装置であって、
複数の前記コンテンツデータの各々の記録期間に関する記録期間情報に基づいて、前記複数のコンテンツデータの記録予約をする予約手段と、
前記記録予約の各々に対応する記録期間が重複していることを検出する検出手段と、
この検出手段により検出された重複した記録期間において、前記所定数以上の記録予約がされているとともに、前記重複した記録期間の記録予約のいずれかに対応するコンテンツデータが出力装置で出力されている場合には、この出力されているコンテンツデータ以外のコンテンツデータを前記記録媒体に記録させる記録制御手段と、
を具備したことを特徴としたデータ処理装置。
【請求項２】
請求項１に記載のデータ処理装置であって、
前記記録制御手段は、前記出力装置で出力されているコンテンツデータが前記記録させているコンテンツデータに切り換えられた場合には、この切り換えられて出力されるコンテンツデータ以外のコンテンツデータを前記記録媒体に記録させる
ことを特徴としたデータ処理装置。
【請求項３】
請求項２に記載のデータ処理装置であって、
前記記録制御手段は、前記記録媒体に記録させるコンテンツデータが所定回数切り換えられた後に、前記出力装置で出力されているコンテンツデータが前記記録させているコンテンツデータに切り換えられた場合には、前記記録させているコンテンツデータの記録を継続する
ことを特徴としたデータ処理装置。
【請求項４】
請求項３に記載のデータ処理装置であって、
前記記録期間情報は、前記コンテンツデータの内容に関する内容情報に関連付けられ、
前記内容情報の内容に基づいて、前記所定回数を設定する所定回数設定手段を具備した
ことを特徴としたデータ処理装置。
【請求項５】
請求項１ないし請求項４のいずれかに記載のデータ処理装置であって、
入力操作に応じて前記出力装置で出力されている前記コンテンツデータを特定する特定情報を取得する特定情報取得手段と、
前記特定情報に基づいて前記重複した記録期間の記録予約のいずれかに対応するコンテンツデータが前記出力装置で出力された出力状態を認識する出力状態認識手段と、
を具備し、
前記記録制御手段は、前記出力状態認識手段で認識した出力状態が所定状態であるとともに、前記出力装置で出力されているコンテンツデータが前記記録させているコンテンツデータに切り換えられた場合には、前記記録させているコンテンツデータの記録を継続する
ことを特徴としたデータ処理装置。
【請求項６】
請求項５に記載のデータ処理装置であって、
前記出力状態認識手段は、前記重複した記録期間の記録予約のいずれかに対応するコンテンツデータが前記出力装置で出力された時間の長さを前記出力状態として認識する
ことを特徴としたデータ処理装置。
【請求項７】
請求項５に記載のデータ処理装置であって、
前記出力状態認識手段は、前記重複した記録期間の記録予約のいずれかに対応するコンテンツデータの記録期間の長さと、このコンテンツデータが前記出力装置で出力された時間の長さと、の割合を前記出力状態として認識する
ことを特徴としたデータ処理装置。
【請求項８】
請求項１ないし請求項４のいずれかに記載のデータ処理装置であって、
前記重複した記録期間の記録予約のいずれかに対応するコンテンツデータの前記記録媒体に記録された記録状態を認識する記録状態認識手段を具備し、
前記記録制御手段は、前記記録状態認識手段で認識した記録状態が所定状態であるとともに、前記出力装置で出力されているコンテンツデータが前記記録させているコンテンツデータに切り換えられた場合には、前記記録させているコンテンツデータの記録を継続する
ことを特徴としたデータ処理装置。
【請求項９】
請求項８に記載のデータ処理装置であって、
前記記録状態認識手段は、前記重複した記録期間の記録予約のいずれかに対応するコンテンツデータが前記記録媒体に記録された時間の長さを前記記録状態として認識する
ことを特徴としたデータ処理装置。
【請求項１０】
請求項８に記載のデータ処理装置であって、
前記記録状態認識手段は、前記重複した記録期間の記録予約のいずれかに対応するコンテンツデータの記録期間の長さと、このコンテンツデータが前記記録媒体に記録された時間の長さと、の割合を前記記録状態として認識する
ことを特徴としたデータ処理装置。
【請求項１１】
請求項１ないし請求項４のいずれかに記載のデータ処理装置であって、
前記記録制御手段で前記コンテンツデータが前記出力装置で出力されていると判断した時点以降に、前記重複した記録期間の記録予約のいずれかに対応するコンテンツデータの前記記録期間の残りの状態を認識する残り状態認識手段を具備し、
前記記録制御手段は、前記残り状態認識手段で認識した残りの状態が所定状態であるとともに、前記出力装置で出力されているコンテンツデータが前記記録させているコンテンツデータに切り換えられた場合には、前記記録させているコンテンツデータの記録を継続する
ことを特徴としたデータ処理装置。
【請求項１２】
請求項１１に記載のデータ処理装置であって、
前記残り状態認識手段は、前記出力されていると判断した時点から前記重複した記録期間の記録予約のいずれかに対応するコンテンツデータの前記記録期間が終了する時点までの時間の長さを前記残りの状態として認識する
ことを特徴としたデータ処理装置。
【請求項１３】
請求項１１に記載のデータ処理装置であって、
前記残り状態認識手段は、前記重複した記録期間の記録予約のいずれかに対応するコンテンツデータの記録期間の長さと、このコンテンツデータにおける前記出力されていると判断した時点から前記記録期間が終了する時点までの時間の長さと、の割合を前記残りの状態として認識する
ことを特徴としたデータ処理装置。
【請求項１４】
請求項５ないし請求項１３のいずれかに記載のデータ処理装置であって、
前記記録期間情報は、前記コンテンツデータの内容に関する内容情報に関連付けられ、
前記内容情報の内容に基づいて、前記所定状態を設定する所定状態設定手段を具備した
ことを特徴としたデータ処理装置。
【請求項１５】
請求項１ないし請求項１４のいずれかに記載のデータ処理装置であって、
前記記録期間情報は、前記コンテンツデータを前記記録媒体に記録させる優先度に関する優先度情報に関連付けられ、
前記記録制御手段は、前記検出手段により検出された重複した記録期間において、前記所定数以上の記録予約がされているとともに、前記重複した記録期間の記録予約の全てに対応するコンテンツデータが前記出力装置で出力されていない場合には、前記優先度情報の優先度に基づいて前記コンテンツデータを前記記録媒体に記録させる
ことを特徴としたデータ処理装置。
【請求項１６】
演算手段により、配信される所定数のコンテンツデータを同一時間帯において記録媒体に記録可能なデータ処理方法であって、
前記演算手段は、
複数の前記コンテンツデータの各々の記録期間に関する記録期間情報に基づいて、前記複数のコンテンツデータの記録予約をし、
前記記録予約の各々に対応する記録期間が重複していることを検出し、
この検出手段により検出された重複した記録期間において、前記所定数以上の記録予約がされているとともに、前記重複した記録期間の記録予約のいずれかに対応するコンテンツデータが出力装置で出力されている場合には、この出力されているコンテンツデータ以外のコンテンツデータを前記記録媒体に記録させる
ことを特徴とするデータ処理方法。
【発明の詳細な説明】
【技術分野】
【０００１】
本発明は、コンテンツデータを記録媒体に記録させるデータ処理装置、および、データ処理方法に関する。
【背景技術】
【０００２】
従来、テレビ放送番組などのコンテンツを予約に基づいて録画する構成が知られている（例えば、特許文献１参照）。
【０００３】
この特許文献１に記載のものは、録画予約の録画開始の一定時間前になったと判断すると、ユーザに録画予約に基づく録画が開始されることを知らせ、この録画を継続するかキャンセルするかの選択画面を表示させる。そして、ユーザによるユーザ入力処理装置を通した録画予約を継続するか、キャンセルするかの指示に基づく処理を実施する。
【０００４】
【特許文献１】特開２００１−７６３９５号公報（第３頁左欄−第６頁右欄）
【発明の開示】
【発明が解決しようとする課題】
【０００５】
しかしながら、上述した特許文献１に記載のような従来の構成では、録画予約されたコンテンツが利用者により視聴されている場合であっても、この録画予約されたコンテンツが録画されてしまう。このため、例えば録画予約されたコンテンツと同時刻に利用者の嗜好に合うコンテンツが放送されていた場合、利用者は、この嗜好に合うコンテンツを視聴できないおそれがあるという問題点が一例として挙げられる。
【０００６】
本発明は、このような点に鑑みて、コンテンツデータを適切に記録可能なデータ処理装置、および、データ処理方法を提供することを１つの目的とする。
【課題を解決するための手段】
【０００７】
請求項１に記載の発明は、配信される所定数のコンテンツデータを同一時間帯において記録媒体に記録可能なデータ処理装置であって、複数の前記コンテンツデータの各々の記録期間に関する記録期間情報に基づいて、前記複数のコンテンツデータの記録予約をする予約手段と、前記記録予約の各々に対応する記録期間が重複していることを検出する検出手段と、この検出手段により検出された重複した記録期間において、前記所定数以上の記録予約がされているとともに、前記重複した記録期間の記録予約のいずれかに対応するコンテンツデータが出力装置で出力されている場合には、この出力されているコンテンツデータ以外のコンテンツデータを前記記録媒体に記録させる記録制御手段と、を具備したことを特徴としたデータ処理装置である。
【０００８】
請求項１６に記載の発明は、演算手段により、配信される所定数のコンテンツデータを同一時間帯において記録媒体に記録可能なデータ処理方法であって、前記演算手段は、複数の前記コンテンツデータの各々の記録期間に関する記録期間情報に基づいて、前記複数のコンテンツデータの記録予約をし、前記記録予約の各々に対応する記録期間が重複していることを検出し、この検出手段により検出された重複した記録期間において、前記所定数以上の記録予約がされているとともに、前記重複した記録期間の記録予約のいずれかに対応するコンテンツデータが出力装置で出力されている場合には、この出力されているコンテンツデータ以外のコンテンツデータを前記記録媒体に記録させることを特徴とするデータ処理方法である。
【発明を実施するための最良の形態】
【０００９】
以下に、本発明の一実施の形態を図面に基づいて説明する。本実施の形態では、本発明のデータ処理装置を備えた記録再生装置を例示して説明するが、これに限らず、コンテンツデータを記録するのみの記録装置、さらには記録装置や記録再生装置にコンテンツデータを記録させる独立したデータ処理装置などとしても適用できる。なお、本実施の形態において、利用者により設定入力される録画開始日時や録画終了日時あるいはチャンネルなどに基づく例えばテレビ放送番組や映画などを含むコンテンツの録画予約を、手動録画予約と称して説明する。また、ＥＰＧ（Electric Program Guide）データおよび利用者により設定入力されるキーワードに基づくこのキーワードに関連するコンテンツデータの録画予約を、自動録画予約と適宜称して説明する。さらに、手動録画予約や自動録画予約に関わらず複数の録画予約の録画時間帯が重複している状態を、重複録画予約が存在する状態と適宜称して説明する。また、重複録画予約が存在する状態において、重複する録画時間帯でいずれか１つの録画予約に基づいて実施する録画処理を、切換録画処理と適宜称して説明する。さらに、録画時間帯が重複する録画予約が存在しない録画予約に基づいて実施する録画処理を、通常録画処理と適宜称して説明する。なお、本実施の形態では、２つの録画予約が重複する状態における切換録画処理を実施する構成を例示して説明するが、３つ以上の録画予約が重複する状態においても同様の構成を適用できる。図１は、本実施の形態におけるコンテンツ記録再生システムの概略構成を示すブロック図である。図２は、録画予約リスト情報の概略構成を示す模式図である。図３は、視聴状態情報の概略構成を示す模式図である。図４は、記録再生装置を構成するＣＰＵの概略構成を示す模式図である。
【００１０】
〔コンテンツ記録再生システムの構成〕
図１において、１００はコンテンツ記録再生システム（以下、記録再生システムと称す）で、この記録再生システムは、例えばテレビ放送番組などのコンテンツの音声データ、映像データ、データ放送用データなどを有するコンテンツデータを記録したり、記録したコンテンツデータを再生したりするシステムである。そして、記録再生システム１００は、記録再生装置２００と、出力装置３００と、を備えている。
【００１１】
出力装置３００は、例えばパーソナルコンピュータ、テレビジョン、携帯電話、ＰＨＳ（Personal Handyphone System）、ＰＤＡ（Personal Digital Assistant）などが例示できる。この出力装置３００は、記録再生装置２００から出力されたり、放送波を利用して送信されるコンテンツデータを受信して出力する。そして、この出力装置３００は、チューナ部３１０と、入力部３２０と、音声出力部３３０と、表示部３４０と、制御部３５０と、などを備えている。
【００１２】
チューナ部３１０は、制御部３５０などに接続されている。また、チューナ部３１０には、放送波を受信する図示しないアンテナが接続されている。このチューナ部３１０は、アンテナから送信される例えば複数のチャンネルに対応する各種データから所定のチャンネルに対応する各種データ、すなわちコンテンツデータやデータ放送用データなどを取得して制御部３５０へ出力する。
【００１３】
入力部３２０は、制御部３５０などに接続されている。この入力部３２０は、図示しないケース体の例えば正面に臨んで入力操作可能に配設された図示しない各種操作ボタンや操作つまみなどを有している。そして、入力部３２０は、設定事項の入力操作により、各種情報を操作信号として制御部３５０へ送信して設定させる。
【００１４】
音声出力部３３０は、制御部３５０などに接続されている。この音声出力部３３０は、例えば図示しないスピーカなどの発音手段を有している。また、音声出力部３３０は、制御部３５０からアナログ信号やデジタル信号として送信される音声データを発音手段から音声として出力させる処理をする。
【００１５】
表示部３４０は、制御部３５０などに接続されている。この表示部３４０は、制御部３５０からアナログ信号やデジタル信号として送信される映像データやデータ放送用データなどを表示させる。
【００１６】
制御部３５０は、チューナ部３１０で取得させた所定のチャンネルのコンテンツデータや記録再生装置２００からのコンテンツデータを、音声出力部３３０や表示部３４０で出力させる処理をする。また、制御部３５０は、チューナ部３１０で取得させているコンテンツデータのチャンネルに関する特定情報としての選局チャンネル情報を記録再生装置２００へ出力する。具体的には、制御部３５０は、入力部３２０から所定のチャンネルのコンテンツデータを取得する旨の操作信号を取得すると、チューナ部３１０に所定のチャンネルのコンテンツデータを取得させて出力させる。そして、このコンテンツデータを取得して、音声データを音声出力部３３０へ、映像データやデータ放送用データを表示部３４０へ、それぞれ出力する。さらに、記録再生装置２００から選局チャンネル情報を出力する旨を要求する選局情報出力要求信号を取得すると、チューナ部３１０で現在取得させているコンテンツデータの選局チャンネル情報を生成して、記録再生装置２００へ出力する。また、制御部３５０は、記録再生装置２００から切換録画処理を終了した旨の選択録画終了信号を取得する前に入力部３２０からチャンネルを変更する旨の操作信号を取得すると、このチャンネルに関する選局チャンネル情報を適宜生成して、記録再生装置２００へ出力する。さらに、入力部３２０から出力装置３００の電源をオフする旨の操作信号を取得すると、その旨の視聴終了信号を生成して記録再生装置２００へ出力する。また、制御部３５０は、記録再生装置２００から入力されるコンテンツデータを取得して、各種データを音声出力部３３０や表示部３４０へそれぞれ出力する。
【００１７】
記録再生装置２００は、放送波を利用して送信されるコンテンツデータの通常録画処理や切換録画処理を適宜実施する。また、記録再生装置２００は、この録画されたコンテンツデータを出力装置３００で出力させる処理をする。そして、記録再生装置２００は、通信手段２１０と、デジタル処理部２２０と、デコーダ２３０と、記録再生処理手段２５０と、入力手段２６０と、記録媒体としてのハードディスクドライブ（Hard Disk Drive；ＨＤＤ）２７０と、メモリ２８０と、演算手段としてのＣＰＵ（Central Processing Unit）２９０と、などを備えている。
【００１８】
通信手段２１０は、デジタル処理部２２０と、ＣＰＵ２９０と、などに接続されている。この通信手段２１０は、外部から入力されるコンテンツデータなどの各種情報を取得したり、取得しているコンテンツデータなどの各種情報を外部へ適宜出力したりする。そして、この通信手段２１０は、放送波を受信するアンテナ２１１が接続され、ＣＰＵ２９０の制御により、アンテナ２１１から送信される例えば複数のチャンネルに対応するアナログの各種データから所定のチャンネルに対応するコンテンツデータやＥＰＧデータなどを取得する。さらに、通信手段２１０は、出力装置３００のチューナ部３１０で重複録画予約されたコンテンツのコンテンツデータが取得されている場合、ＣＰＵ２９０の制御により、重複録画予約されたコンテンツのコンテンツデータのうちのチューナ部３１０で取得していないコンテンツデータを適宜取得する。そして、これらアナログの各種データをデジタルに変換してデジタル処理部２２０へ出力する。また、通信手段２１０は、高速データ処理が可能な例えばＩＥＥＥ（Institute of Electrical and Electronic Engineers）１３９４規格のインターフェースを有している。なお、通信手段２１０に、例えば地上波デジタル放送や衛星デジタル放送などでＴＳ（Transport Stream）として配信されるコンテンツデータを取得して、デジタル処理部２２０へ出力する機能を設ける構成としてもよい。
【００１９】
ここで、ＥＰＧデータは、各コンテンツにそれぞれ関する例えばテキスト形式の複数の番組関連情報が１つのデータとして構成されたテーブル構造である。そして、番組関連情報は、チャンネル番号や放送局名などに関するチャンネル情報と、番組名などに関するタイトル情報と、番組詳細すなわち例えば番組の内容や出演者などに関する番組詳細情報と、番組の放送開始日時および放送終了日時に関する放送日時情報と、例えば「スポーツ」、「ドラマ」など番組のジャンルに関するジャンル情報と、などを備えている。
【００２０】
デジタル処理部２２０は、デコーダ２３０と、記録再生処理手段２５０と、ＣＰＵ２９０と、などに接続されている。このデジタル処理部２２０は、通信手段２１０からのコンテンツデータを音声データ、映像データなどに適宜分離して出力する。具体的には、デジタル処理部２２０は、通信手段２１０からコンテンツデータを取得して、このコンテンツデータを適宜処理して記録再生処理手段２５０へ出力する。また、通信手段２１０からＥＰＧデータを取得して、デコーダ２３０や記録再生処理手段２５０へ出力する。さらに、デジタル処理部２２０は、通信手段２１０や記録再生処理手段２５０からコンテンツデータを取得すると、このコンテンツデータを音声データと、映像データと、データ放送用データと、などに適宜分離してデコーダ２３０へ出力する。
【００２１】
デコーダ２３０は、ＣＰＵ２９０と、出力装置３００と、などに接続されている。このデコーダ２３０は、デジタル処理部２２０から音声データと、映像データと、データ放送用データと、ＥＰＧデータと、を適宜取得する。そして、これら各種データを処理して、出力装置３００へ出力する。
【００２２】
記録再生処理手段２５０は、ＨＤＤ２７０と、ＣＰＵ２９０と、などに接続されている。そして、記録再生処理手段２５０は、デジタル処理部２２０からのコンテンツデータやＥＰＧデータを適宜取得してＨＤＤ２７０へ記憶させる。また、ＨＤＤ２７０へ記憶させたコンテンツデータを適宜取得して、通信手段２１０やデジタル処理部２２０へ出力する。
【００２３】
入力手段２６０は、ＣＰＵ２９０などに接続されている。この入力手段２６０は、図示しないケース体の例えば正面に臨んで入力操作可能に配設された図示しない各種操作ボタンや操作つまみなどを有している。そして、入力手段２６０は、設定事項の入力操作により、各種情報を操作信号としてＣＰＵ２９０へ送信して設定させる。
【００２４】
ＨＤＤ２７０は、ＣＰＵ２９０などに接続されている。なお、ＨＤＤ２７０の代わりに、ＤＶＤなどの光ディスク、光磁気ディスク、メモリカードなどの着脱可能、さらには固定のメモリなど、各種記録媒体に各種情報を読み出し可能に記憶するドライブやドライバなどを備えた構成などとしてもよい。このＨＤＤ２７０は、記録再生処理手段２５０から入力されるコンテンツデータやＥＰＧデータなどを適宜読み出し可能に記憶する。すなわち、ＨＤＤ２７０は、コンテンツデータを記憶する図示しないデータ記憶領域と、ＥＰＧデータを記憶する図示しないＥＰＧ記憶領域と、を備えている。なお、これら各記憶領域は、メモリ２８０に記憶されて構築される構成としてもよい。
【００２５】
メモリ２８０は、通信手段２１０から出力される所望のコンテンツデータを取得して記録する際や、記録したコンテンツデータを再生する際に必要な各種データなどを適宜読み出し可能に記憶する。また、メモリ２８０は、図示しない、録画予約記憶領域と、視聴状態記憶領域と、などを備えている。なお、これら各記憶領域は、ＨＤＤ２７０に記憶されて構築される構成としてもよい。
【００２６】
録画予約記憶領域は、例えば図２に示すような録画予約リスト情報５００を適宜読み出し可能に記憶する。この録画予約リスト情報５００は、手動録画予約や自動録画予約のリストに関する情報である。そして、録画予約リスト情報５００は、予約数情報５１０と、少なくとも１つの予約情報５２０と、などが１つのデータ構造として関連付けられて構成されている。
【００２７】
予約数情報５１０は、予約情報５２０の総数ｎに関する情報である。この予約数情報５１０で示される総数ｎは、ＣＰＵ２９０による手動録画予約や自動録画予約が追加される設定により１だけ加算され、手動録画予約や自動録画予約に基づいた録画が終了した際などに１だけ減算される。
【００２８】
予約情報５２０は、手動録画予約または自動録画予約に関する情報である。この予約情報５２０は、ＣＰＵ２９０により、手動録画予約や自動録画予約が設定された際に録画予約リスト情報５００に組み込まれ、手動録画予約や自動録画予約に基づいた録画が終了した際などに録画予約リスト情報５００から削除される。そして、予約情報５２０は、録画基本情報５２１と、内容情報としての予約ジャンル情報５２２と、優先度情報５２３と、などが１つのデータ構造として関連付けられて構成されている。録画基本情報５２１は、手動予約録画処理や自動予約録画処理を実施するために必要な各種情報である。この録画基本情報５２１は、録画するチャンネルに関する予約チャンネル情報５２１Ａと、録画開始日時に関する記録期間情報としての録画開始日時情報５２１Ｂと、録画終了日時に関する記録期間情報としての録画終了日時情報５２１Ｃと、などが１つのデータ構造として関連付けられて構成されている。ここで、録画開始日時から録画終了日時までの期間が本発明の記録期間に対応する。予約ジャンル情報５２２は、録画基本情報５２１に基づいて録画されるコンテンツのジャンルに関する情報である。優先度情報５２３は、録画基本情報５２１に基づく録画処理の優先度に関する情報である。この優先度情報５２３は、優先度を「１」、「２」などの数値にて示す情報をデータ化したものである。そして、優先度情報５２３は、数値が小さいほど優先度が高い旨を示す。ここで、優先度を数値ではなく、例えば「高」、「低」などの文字列で示す構成などとしてもよい。
【００２９】
視聴状態記憶領域は、例えば図３に示すような視聴状態リスト情報６００を適宜読み出し可能に記憶する。この視聴状態リスト情報６００は、利用者のコンテンツの視聴状態、すなわち出力装置３００のチューナ部３１０におけるコンテンツデータの取得状態のリストに関する情報である。そして、視聴状態リスト情報６００は、少なくとも１つの視聴状態情報６１０が１つのデータ構造として構成されたテーブル構造の情報である。
【００３０】
視聴状態情報６１０は、１つのコンテンツの視聴状態に関する情報である。この視聴状態情報６１０は、ＣＰＵ２９０により、切換録画処理が実施された際に適宜生成され、視聴状態リスト情報６００に組み込まれる。そして、視聴状態情報６１０は、視聴チャンネル情報６１１と、視聴開始日時情報６１２と、を１つのレコードとして組み込んだテーブル構造のデータベースとして構成されている。視聴チャンネル情報６１１は、視聴されているチャンネルに関する情報である。視聴開始日時情報６１２は、視聴チャンネル情報６１１で示されるチャンネルの視聴が開始された日時に関する情報である。
【００３１】
さらに、メモリ２８０は、記録再生装置２００全体を動作制御するＯＳ（Operating System）上に展開される各種プログラムなどを適宜読み出し可能に記憶している。なお、メモリ２８０としては、ＨＤ、ＤＶＤ、光ディスクなどの着脱可能な記録媒体に読み出し可能に記憶するドライブやドライバなどを備えた構成としてもよい。
【００３２】
ＣＰＵ２９０は、各種構成が接続され、各構成の動作を制御する。このＣＰＵ２９０は、例えば図４に示すように、各種プログラムとして、予約手段としての録画予約設定手段２９１と、録画制御手段２９２と、再生制御手段２９３と、切換カウンタ２９４と、計時手段２９５と、などを備えている。
【００３３】
録画予約設定手段２９１は、入力手段２６０から操作信号として送信される自動録画予約要求情報に基づいて、自動録画予約に関する予約情報５２０を生成する。具体的には、録画予約設定手段２９１は、通信手段２１０で取得したＥＰＧデータをＨＤＤ２７０に適宜記憶させる。そして、録画予約設定手段２９１は、自動録画予約要求情報を取得すると、この自動録画予約要求情報に記載されたキーワードを認識するとともに、ＨＤＤ２７０のＥＰＧデータを取得する。さらに、認識したキーワードに一致あるいは関連する番組名、番組記述、ジャンル、シリーズ名などのコンテンツに関する番組関連情報をＥＰＧデータから検索する。そして、録画予約設定手段２９１は、この検索した番組関連情報のチャンネル情報に基づいて予約チャンネル情報５２１Ａを、放送日時情報に基づいて録画開始日時情報５２１Ｂおよび録画終了日時情報５２１Ｃを、ジャンル情報に基づいて予約ジャンル情報５２２を、それぞれ生成する。さらに、各情報５２１Ａ，５２１Ｂ，５２１Ｃを組み込んだ録画基本情報５２１を生成する。そして、録画基本情報５２１と、予約ジャンル情報５２２と、を組み込んだ予約情報５２０を生成する。
【００３４】
さらに、録画予約設定手段２９１は、生成した予約情報５２０と録画時間帯が重複する予約情報５２０が録画予約リスト情報５００に組み込まれていないことを認識すると、この予約情報５２０を録画予約リスト情報５００に組み込むとともに、予約数情報５１０の総数ｎを録画予約リスト情報５００に組み込まれた予約情報５２０の数に更新する。一方、重複する予約情報５２０が録画予約リスト情報５００に組み込まれていることを認識すると、この重複する予約情報５２０を録画予約リスト情報５００から取得する。さらに、生成した予約情報５２０と、取得した予約情報５２０と、の録画予約に対してそれぞれ優先度を設定する。ここで、優先度を設定する構成としては、例えば予約ジャンル情報５２２のジャンル、自動録画予約か否か、特定のキーワードに対応しているか否か、利用者による入力手段２６０の入力操作などに基づいて優先度を設定する構成が例示できるが、これらに限られず適宜他の構成としてもよい。そして、この優先度に関する優先度情報５２３を生成して、それぞれの予約情報５２０に組み込む。さらに、これら予約情報５２０を録画予約リスト情報５００に組み込むとともに、予約数情報５１０を更新する。
【００３５】
また、録画予約設定手段２９１は、入力手段２６０から操作信号として送信される手動録画予約要求情報に基づいて、手動録画予約に関する予約情報５２０を生成する。具体的には、録画予約設定手段２９１は、手動録画予約要求情報を取得すると、この手動録画予約要求情報に記載されたチャンネル、録画開始日時、録画終了日時に基づいて、各情報５２１Ａ，５２１Ｂ，５２１Ｃを組み込んだ録画基本情報５２１を生成する。また、録画予約設定手段２９１は、例えばＨＤＤ２７０のＥＰＧデータのジャンル情報に基づいて、録画基本情報５２１に対応するコンテンツのジャンルを認識する。そして、このジャンルに関する予約ジャンル情報５２２を生成し、各情報５２１，５２２を組み込んだ予約情報５２０を生成する。なお、手動録画予約の予約情報５２０に予約ジャンル情報５２２を組み込まない構成としてもよい。さらに、録画予約設定手段２９１は、この生成した予約情報５２０と録画時間帯が重複する予約情報５２０が録画予約リスト情報５００に組み込まれているか否かに基づいて、優先度情報５２３を適宜組み込む処理をする。そして、予約情報５２０を録画予約リスト情報５００に組み込むとともに、予約数情報５１０を更新する。
【００３６】
録画制御手段２９２は、録画予約リスト情報５００の予約情報５２０に基づいて、通常録画処理や切換録画処理を適宜実施する。そして、録画制御手段２９２は、検出手段としても機能する記録制御手段としての録画処理手段２９２Ａと、所定状態設定手段としての切換割合設定手段２９２Ｂと、特定情報取得手段としても機能する出力状態認識手段としての視聴状態認識手段２９２Ｃと、記録制御手段としても機能する選択録画番組設定手段２９２Ｄと、などを備えている。なお、録画予約設定手段２９１および録画制御手段２９２にて、本発明のデータ処理装置が構成されている。ここで、本発明のデータ処理装置としては、切換割合設定手段２９２Ｂを設けない構成としてもよい。
【００３７】
録画処理手段２９２Ａは、通信手段２１０、デジタル処理部２２０、記録再生処理手段２５０などの動作を制御して、所望のテレビ放送番組のコンテンツデータを受信してＨＤＤ２７０に適宜読み出し可能に記憶させる通常録画処理や切換録画処理などを適宜実施する。具体的には、録画処理手段２９２Ａは、計時手段２９５で計時する現在時刻が予約情報５２０における録画開始日時情報５２１Ｂの録画開始日時であることを認識すると、この予約情報５２０を取得する。そして、この予約情報５２０と録画時間帯が重複する予約情報５２０が存在するか否かを判断する。ここで、録画処理手段２９２Ａは、例えば予約情報５２０に優先度情報５２３が組み込まれていると判断した場合に、重複する予約情報５２０が存在すると判断する。なお、録画予約リスト情報５００の各予約情報５２０の録画開始日時情報５２１Ｂや録画終了日時情報５２１Ｃに基づいて、重複する予約情報５２０を検索する構成としてもよい。そして、重複する予約情報５２０が存在しないと判断すると、記録再生処理手段２５０などの動作を制御して、この取得した予約情報５２０に基づくコンテンツデータを取得させて、ＨＤＤ２７０に記憶させる通常録画処理を実施する。
【００３８】
また、録画処理手段２９２Ａは、重複する予約情報５２０が存在すると判断すると、この重複する予約情報５２０を取得する。そして、選択録画番組設定手段２９２Ｄにより後述する選択録画番組として設定されたコンテンツを認識する。さらに、この選択録画番組に対応する予約情報５２０の録画基本情報５２１に基づくコンテンツデータを取得させて、ＨＤＤ２７０に記憶させる。また、録画処理手段２９２Ａは、選択録画番組設定手段２９２Ｄにより後述する候補録画番組として設定されたコンテンツの予約情報５２０に基づいて、現在時刻が候補録画番組の録画開始日時となったことを認識すると、その旨の候補録画番組開始信号を選択録画番組設定手段２９２Ｄへ出力する。さらに、録画処理手段２９２Ａは、選択録画番組設定手段２９２Ｄにより選択録画番組が変更された（以下、選択録画番組が切り換えられたと称す）ことを認識すると、この切り換えられた選択録画番組の予約情報５２０に基づくコンテンツデータを取得させる。そして、このコンテンツデータを切り換え前の選択録画番組のコンテンツデータの後端に連結させる状態でＨＤＤ２７０に記憶させる。さらに、録画処理手段２９２Ａは、選択録画番組の録画が終了したことを認識すると、候補録画番組の録画処理を適宜実施する。すなわち、候補録画番組のコンテンツデータを選択録画番組のコンテンツデータの後端に連結させる状態でＨＤＤ２７０に記憶させる。
【００３９】
さらに、録画処理手段２９２Ａは、入力手段２６０における入力操作に基づく操作信号により現在受信して再生しているコンテンツデータを受信させて、ＨＤＤ２７０に記憶させる処理をする。
【００４０】
切換割合設定手段２９２Ｂは、選択録画番組設定手段２９２Ｄで選択録画番組を切り換える際の基準となる所定状態としての切換基準割合を適宜設定する。具体的には、切換割合設定手段２９２Ｂは、録画処理手段２９２Ａで重複すると判断された各予約情報５２０の予約ジャンル情報５２２のジャンルを認識する。そして、ジャンルが「スポーツ」であることを認識すると、この予約情報５２０の切換基準割合を例えば３０％に設定する。また、ジャンルが「スポーツ」以外の例えば「ドラマ」などであることを認識すると、この予約情報５２０の切換基準割合を例えば７０％に設定する。なお、切換基準割合を上述した割合以外の割合に設定する構成、例えば上述した割合以外の割合に設定する構成や、「スポーツ」、「ドラマ」、「バラエティ」などのジャンル毎に異なる割合に設定する構成などとしてもよい。また、切換基準割合を利用者による入力手段２６０の入力操作に基づいて設定する構成としてもよい。
【００４１】
視聴状態認識手段２９２Ｃは、出力装置３００のチューナ部３１０におけるコンテンツデータの取得状態を認識する。具体的には、視聴状態認識手段２９２Ｃは、録画処理手段２９２Ａで候補録画番組の録画開始日時となったことを認識すると、選局情報出力要求信号を出力装置３００へ送信する。そして、出力装置３００から選局チャンネル情報を取得すると、この選局チャンネル情報のチャンネルを記載した視聴チャンネル情報６１１と、計時手段２９５で計時する現在時刻を記載した視聴開始日時情報６１２と、を生成する。さらに、これら視聴チャンネル情報６１１および視聴開始日時情報６１２を組み込んだ視聴状態情報６１０を生成して、視聴状態リスト情報６００に組み込む。また、視聴状態認識手段２９２Ｃは、この視聴状態情報６１０の視聴チャンネル情報６１１のチャンネル、および、選択録画番組に対応する予約チャンネル情報５２１Ａのチャンネルが一致すること、すなわち利用者が視聴しているコンテンツ（以下、視聴中番組と適宜称す）が選択録画番組であることを認識すると、選択録画番組を切り換える旨を要求する切換要求信号を選択録画番組設定手段２９２Ｄへ出力する。
【００４２】
また、視聴状態認識手段２９２Ｃは、出力装置３００より新たな選局チャンネル情報を取得すると、チャンネル変更により利用者が視聴しているコンテンツが変更されたと認識する。さらに、視聴状態認識手段２９２Ｃは、切換録画処理が開始された後に出力装置３００の電源がオンされたことにより出力される選局チャンネル情報を取得すると、コンテンツの視聴が開始されたと認識する。そして、チャンネル変更や出力装置３００の電源オンにより新たに視聴が開始されたコンテンツ（以下、変更後視聴番組と称す）に対応する視聴状態情報６１０を生成して、視聴状態リスト情報６００に組み込む。さらに、視聴状態認識手段２９２Ｃは、変更後視聴番組に対応する視聴チャンネル情報６１１、および、選択録画番組に対応する予約チャンネル情報５２１Ａに基づいて、変更後視聴番組がチャンネル変更直前まで録画されていた選択録画番組であることを認識すると、例えば以下のような処理を実施する。
【００４３】
すなわち、視聴状態認識手段２９２Ｃは、チャンネル変更直前に視聴されていた候補録画番組に対応する視聴開始日時情報６１２の日時を、候補録画番組の視聴が開始された日時として認識する。さらに、この視聴開始日時情報６１２の直後に視聴状態リスト情報６００に組み込まれた視聴開始日時情報６１２の日時を、候補録画番組の視聴が終了した日時として認識する。そして、これら視聴が開始された日時および終了された日時に基づいて、候補録画番組が視聴されていた時間の長さを認識する。ここで、視聴状態認識手段２９２Ｃは、候補録画番組が複数回視聴されている場合、各視聴時の合計の時間の長さを認識する。なお、候補録画番組が複数回視聴されている場合であっても、チャンネル変更直前における視聴時の時間の長さのみを認識する構成としてもよい。また、候補録画番組に対応する各情報５２１Ｂ，５２１Ｃに基づいて、録画予約時間の長さを認識する。ここで、録画予約時間の長さをＥＰＧデータに基づいて認識する構成としてもよい。そして、視聴状態認識手段２９２Ｃは、候補録画番組が視聴されていた時間の長さを候補録画番組の録画予約時間の長さで除した値を、候補録画番組の視聴割合として認識する。さらに、この候補録画番組の視聴割合が候補録画番組の切換基準割合以下であることを認識すると、この候補録画番組があまり視聴されていないため録画する必要があると認識する。そして、切換カウンタ２９４の設定を確認する旨を要求するカウンタ確認要求信号を選択録画番組設定手段２９２Ｄへ出力する。
【００４４】
また、視聴状態認識手段２９２Ｃは、録画処理手段２９２Ａで選択録画番組の録画処理が終了したことを認識すると、選択録画終了信号を出力装置３００へ送信する。
【００４５】
選択録画番組設定手段２９２Ｄは、重複録画予約が存在する状態において、録画処理手段２９２Ａに録画させるコンテンツを選択録画番組として設定するとともに、選択録画番組以外のコンテンツを候補録画番組として設定する。具体的には、選択録画番組設定手段２９２Ｄは、録画処理手段２９２Ａで重複録画予約が存在すると判断されると、切換カウンタ２９４の計数値（以下、切換カウンタ値と称す）を例えば「２」に設定する。ここで、切換カウンタ値を例えば「１」や「５」に設定する構成としてもよい。さらに、選択録画番組設定手段２９２Ｄは、重複する予約情報５２０の録画開始日時情報５２１Ｂに基づいて、録画開始日時が一致することを認識すると、各予約情報５２０の優先度情報５２３の優先度を認識する。そして、優先度が高い予約情報５２０に対応するコンテンツを選択録画番組として設定するとともに、優先度が低い予約情報５２０のコンテンツを候補録画番組として設定する。
【００４６】
また、選択録画番組設定手段２９２Ｄは、録画開始日時が一致しないことを認識すると、録画開始日時が早いコンテンツを選択録画番組として設定するとともに、録画開始日時が遅いコンテンツを候補録画番組として設定する。さらに、選択録画番組設定手段２９２Ｄは、録画処理手段２９２Ａから候補録画番組開始信号を取得するとともに、優先度情報５２３に基づいて候補録画番組の優先度が選択録画番組よりも高いと判断すると、選択録画番組の切換処理を実施する。すなわち、候補録画番組として設定されていたコンテンツを選択録画番組として設定するとともに、選択録画番組として設定されていたコンテンツを候補録画番組として設定する。また、選択録画番組設定手段２９２Ｄは、視聴状態認識手段２９２Ｃから切換要求信号を取得すると、選択録画番組の切換処理を実施する。さらに、視聴状態認識手段２９２Ｃからカウンタ確認要求信号を取得するとともに、切換カウンタ２９４の切換カウンタ値が「０」でないことを認識すると、選択録画番組の切換処理を実施する。
【００４７】
そして、選択録画番組設定手段２９２Ｄは、選択録画番組および候補録画番組のそれぞれに対応する予約情報５２０の予約ジャンル情報５２２に基づいて、選択録画番組および候補録画番組のジャンルが「スポーツ」でないことを認識すると、切換カウンタ２９４の切換カウンタ値から「１」を減じる処理をする。
【００４８】
再生制御手段２９３は、デジタル処理部２２０、デコーダ２３０、記録再生処理手段２５０などの動作を制御して、所望のテレビ放送番組のコンテンツデータを出力装置３００へ出力して再生させる処理をする。具体的には、再生制御手段２９３は、入力手段２６０における例えば出力装置３００で一覧表示されるサムネイルを選択する入力操作などにて特定されたり、いわゆるタイマ再生などあらかじめ所定時間に選択要求されているコンテンツデータをＨＤＤ２７０から読み出し、デジタル処理部２２０やデコーダ２３０で適宜処理して出力装置３００へ出力する。
【００４９】
切換カウンタ２９４は、選択録画番組を切り換え可能な回数を計数する。
【００５０】
計時手段２９５は、例えば内部クロックなどの基準パルスに基づいて現在日時を計時する。そして、この計時した現在日時に関する現在日時情報を適宜出力する。
【００５１】
〔コンテンツ記録再生システムの動作〕
次に、記録再生システム１００の動作として、コンテンツの録画処理について図面を参照して説明する。なお、ここでは、５ｃｈ（Channel）の放送番組の「ドラマＡ」および１２ｃｈの放送番組の「スポーツＢ」の録画予約が重複する状態において、「ドラマＡ」の優先度が「スポーツＢ」よりも高い場合を例示して説明する。図５は、コンテンツの録画処理を示すフローチャートである。図６は、重複する録画予約の録画開始日時が一致する場合における記録再生システムの動作を示すタイミングチャートであり、（Ａ）は時刻を示すグラフ、（Ｂ）は５ｃｈで配信される放送番組を示すグラフ、（Ｃ）は１２ｃｈで配信される放送番組を示すグラフ、（Ｄ）は視聴されている番組を示すグラフ、（Ｅ）は録画する番組を示すグラフである。図７は、重複する録画予約の録画開始日時が一致しない場合における記録再生システムの動作を示すタイミングチャートであり、（Ａ）は時刻を示すグラフ、（Ｂ）は５ｃｈで配信される放送番組を示すグラフ、（Ｃ）は１２ｃｈで配信される放送番組を示すグラフ、（Ｄ）は視聴されている番組を示すグラフ、（Ｅ）は録画する番組を示すグラフである。図８は、切換録画処理を示すフローチャートである。
【００５２】
まず、記録再生装置２００は、図５に示すように、ＣＰＵ２９０の録画制御手段２９２の録画処理手段２９２Ａにて、録画予約リスト情報５００に登録された録画予約のうちのいずれかの開始日時となったことを認識すると（ステップＳ１０１）、この録画予約に対する重複録画予約が存在するか否かを判断する（ステップＳ１０２）。このステップＳ１０２において、重複録画予約が存在しないと判断した場合、開始日時となった録画予約に基づく通常録画処理を実施して（ステップＳ１０３）、コンテンツの録画処理を終了する。一方、ステップＳ１０２において、重複録画予約が存在すると判断した場合、録画制御手段２９２は、切換割合設定手段２９２Ｂにて、各録画予約に対応するコンテンツのジャンルに基づいて、各コンテンツの切換基準割合を設定する（ステップＳ１０４）。
【００５３】
ここでは、切換割合設定手段２９２Ｂは、図６（Ｂ）および図７（Ｂ）に示すような「ドラマＡ」の切換基準割合を７０％に設定し、図６（Ｃ）および図７（Ｃ）に示すような「スポーツＢ」の切換基準割合を３０％に設定する。
【００５４】
そして、録画制御手段２９２は、選択録画番組設定手段２９２Ｄにて、切換カウンタ２９４の切換カウンタ値を「２」に設定し（ステップＳ１０５）、重複する録画予約の録画開始日時が一致するか否かを判断する（ステップＳ１０６）。このステップＳ１０６において、録画開始日時が一致すると判断した場合、優先度が高い予約番組を選択録画番組として設定するとともに（ステップＳ１０７）、優先度が低い予約番組を候補録画番組として設定する。
【００５５】
ここでは、選択録画番組設定手段２９２Ｄは、図６（Ｂ），（Ｃ）に示すように、「ドラマＡ」および「スポーツＢ」の放送開始日時が２２時であると判断した場合、優先度が高い「ドラマＡ」を選択録画番組として、低い「スポーツＢ」を候補録画番組としてそれぞれ設定する。
【００５６】
この後、録画処理手段２９２Ａは、切換録画処理を実施して（ステップＳ１０８）、コンテンツの録画処理を終了する。一方、ステップＳ１０６において、録画開始日時が一致しないと判断した場合、選択録画番組設定手段２９２Ｄは、録画開始日時が早い予約番組を選択録画番組として設定するとともに（ステップＳ１０９）、録画開始日時が遅い予約番組を候補録画番組として設定する。
【００５７】
ここでは、選択録画番組設定手段２９２Ｄは、図７（Ｂ），（Ｃ）に示すように、「ドラマＡ」および「スポーツＢ」のそれぞれの放送開始日時が２２時および２２時１５分であると判断した場合、録画開始日時が早い「ドラマＡ」を選択録画番組として、遅い「スポーツＢ」を候補録画番組としてそれぞれ設定する。
【００５８】
そして、録画処理手段２９２Ａは、視聴されている番組に関わらず、選択録画番組の録画処理を実施する（ステップＳ１１０）。
【００５９】
ここでは、図７（Ｄ）に示すように「ドラマＡ」が視聴されている場合であっても、図７（Ｅ）に示すように２２時から「ドラマＡ」の録画処理を実施する。
【００６０】
この後、録画処理手段２９２Ａは、候補録画番組の録画開始日時となったか否かを判断する（ステップＳ１１１）。このステップＳ１１１において、録画開始日時となっていないと判断した場合、ステップＳ１１０に戻る。一方、ステップＳ１１１において、録画開始日時となったと判断した場合、選択録画番組設定手段２９２Ｄは、候補録画番組の優先度が選択録画番組よりも高いか否かを判断する（ステップＳ１１２）。このステップＳ１１２において、候補録画番組の優先度が低いと判断した場合、ステップＳ１０８の処理を実施する。一方、ステップＳ１１２において、候補録画番組の優先度が高いと判断した場合、選択録画番組の切換処理を実施して（ステップＳ１１３）、ステップＳ１０８の処理を実施する。
【００６１】
ここでは、ステップＳ１１１において、図７（Ｃ）に示すように２２時１５分となったことを認識した際にステップＳ１１２の処理を実施する。そして、ステップＳ１１２において、候補録画番組の「スポーツＢ」の優先度が選択録画番組の「ドラマＡ」よりも低いと判断して、選択録画番組の切換処理を実施せずにステップＳ１０８の処理を実施する。
【００６２】
一方、切換録画処理では、視聴状態認識手段２９２Ｃは、出力装置３００からの選局チャンネル情報に基づいて、利用者が所定のコンテンツを視聴しているか否かを判断する（ステップＳ２０１）。このステップＳ２０１において、視聴中でないと判断した場合、録画処理手段２９２Ａは、選択録画番組の録画処理を実施する（ステップＳ２０２）。一方、ステップＳ２０１において、視聴状態認識手段２９２Ｃは、視聴中であると判断した場合、視聴中番組が選択録画番組か否かを判断する（ステップＳ２０３）。このステップＳ２０３において、選択録画番組ではなく候補録画番組や、選択録画番組および候補録画番組以外の番組（以下、非録画対象番組と称す）であると判断した場合、録画処理手段２９２Ａは、ステップＳ２０２の処理を実施する。一方、ステップＳ２０３において、選択録画番組であると判断した場合、選択録画番組設定手段２９２Ｄは、選択録画番組の切換処理を実施する（ステップＳ２０４）。
【００６３】
ここでは、図６（Ｄ）に示すような番組が視聴されている場合、ステップＳ２０３において２２時に選択録画番組の「ドラマＡ」が視聴されていると判断して、ステップＳ２０４で「スポーツＢ」を選択録画番組として、「ドラマＡ」を候補録画番組として設定する。また、図７（Ｄ）に示すような番組が視聴されている場合、ステップＳ２０３において２２時１５分に選択録画番組の「ドラマＡ」が視聴されていると判断して、「スポーツＢ」を選択録画番組として、「ドラマＡ」を候補録画番組として設定する。
【００６４】
そして、選択録画番組設定手段２９２Ｄは、選択録画番組および候補録画番組のジャンルがスポーツか否かを判断する（ステップＳ２０５）。このステップＳ２０５において、スポーツであると判断した場合、録画処理手段２９２Ａは、ステップＳ２０２の処理を実施する。一方、ステップＳ２０５において、スポーツでないと判断した場合、切換カウンタ２９４の切換カウンタ値から「１」を減じる（ステップＳ２０６）。そして、録画処理手段２９２Ａは、ステップＳ２０２の処理を実施する。
【００６５】
ここでは、図６および図７のいずれの場合であっても、ステップＳ２０５において選択録画番組および候補録画番組がスポーツでないと判断して、ステップＳ２０６の処理を実施する。そして、ステップＳ２０２において、図６（Ｅ）に示すように２２時から「スポーツＢ」の録画処理を実施する。また、図７（Ｅ）に示すように２２時１５分から「ドラマＡ」に換えて「スポーツＢ」の録画処理を実施する。
【００６６】
さらに、録画処理手段２９２Ａは、選択録画番組の録画終了日時となったか否かを判断する（ステップＳ２０７）。このステップＳ２０７において、録画終了日時となっていないと判断した場合、視聴状態認識手段２９２Ｃは、視聴が終了したか否かを判断する（ステップＳ２０８）。そして、ステップＳ２０８において、視聴が終了していると判断した場合、ステップＳ２０２に戻る。一方、ステップＳ２０８において、視聴が終了してないと判断した場合、視聴されている番組が変更されたか否かを判断する（ステップＳ２０９）。このステップＳ２０９において、視聴番組が変更されていないと判断した場合、ステップＳ２０２に戻る。一方、ステップＳ２０９において、視聴番組が変更されていると判断した場合、視聴状態認識手段２９２Ｃは、変更後視聴番組がチャンネル変更直前まで録画されていた選択録画番組か否かを判断する（ステップＳ２１０）。
【００６７】
そして、ステップＳ２１０において、選択録画番組ではなくチャンネル変更直前まで録画されていない候補録画番組や非録画対象番組であると判断した場合、ステップＳ２０２に戻る。一方、ステップＳ２１０において、視聴状態認識手段２９２Ｃは、選択録画番組であると判断した場合、候補録画番組の視聴割合が切換基準割合以下か否かを判断する（ステップＳ２１１）。このステップＳ２１１において、切換基準割合よりも大きいと判断した場合、ステップＳ２０２に戻る。一方、ステップＳ２１１において、切換基準割合以下であると判断した場合、選択録画番組設定手段２９２Ｄは、切換カウンタ値が「０」か否かを判断する（ステップＳ２１２）。そして、ステップＳ２１２において、「０」であると判断した場合、ステップＳ２０２に戻る。一方、「０」でないと判断した場合、ステップＳ２０４に戻る。
【００６８】
ここでは、ステップＳ２０９において、図６（Ｄ）に示すように２２時１５分に視聴番組が変更されたと判断するとともに、ステップＳ２１０において変更後視聴番組が選択録画番組の「スポーツＢ」であると判断する。さらに、ステップＳ２１１において、候補録画番組の「ドラマＡ」の視聴時間が１５分間であり、かつ、「ドラマＡ」の放送時間が６０分間であるため、「ドラマＡ」の視聴割合が２５％であると認識する。そして、「ドラマＡ」の視聴割合がこの「ドラマＡ」の切換基準割合の７０％以下であると判断した後、ステップＳ２１２において切換カウンタ値が「０」でないと判断する。この後、ステップＳ２０４ないしステップＳ２０６、ステップＳ２０２の処理を実施して、２２時１５分から「スポーツＢ」に換えて「ドラマＡ」の録画処理を実施する。また、図６（Ｄ）に示すように２２時３０分に視聴番組が「ドラマＡ」に変更されたことを認識すると、「ドラマＡ」に換えて「スポーツＢ」の録画処理を実施する。さらに、図７（Ｄ）に示すように２２時３０分に視聴番組が「スポーツＢ」に変更されたことを認識すると、「スポーツＢ」に換えて「ドラマＡ」の録画処理を実施する。
【００６９】
一方、ステップＳ２０７において、録画終了日時となったと判断した場合、候補録画番組の録画終了日時前か否かを判断する（ステップＳ２１３）。そして、ステップＳ２１３において、録画終了日時後であると判断した場合、切換録画処理を終了する。一方、ステップＳ２１３において、録画終了日時前であると判断した場合、候補録画番組の録画処理を実施して（ステップＳ２１４）、切換録画処理を終了する。
【００７０】
ここでは、ステップＳ２０７において、図６（Ｂ）に示すように２３時に選択録画番組の「ドラマＡ」の録画終了日時となったと判断するとともに、ステップＳ２１３において候補録画番組の「スポーツＢ」の録画終了日時前であると判断する。そして、ステップＳ２１４において、「ドラマＡ」に換えて「スポーツＢ」の録画処理を実施して、２２時２０分に録画処理を終了する。また、図７（Ｃ）に示すように２３時２０分に選択録画番組の「スポーツＢ」の録画終了日時となったと判断するとともに、候補録画番組の「ドラマＡ」の録画終了日時後であると判断すると、録画処理を終了する。
【００７１】
〔コンテンツ記録再生システムの作用効果〕
上述したように、上記実施の形態では、記録再生装置２００のＣＰＵ２９０は、録画処理手段２９２Ａにて、現在時刻が予約情報５２０における録画開始日時情報５２１Ｂの録画開始日時であることを認識すると、この予約情報５２０を取得する。さらに、録画処理手段２９２Ａは、この予約情報５２０と録画時間帯が重複する予約情報５２０が存在することを認識すると、この重複する予約情報５２０を取得する。また、選択録画番組設定手段２９２Ｄは、重複する録画予約のうちのいずれか一方に対応する予約番組を選択録画番組として設定するとともに、いずれか他方を候補録画番組として設定する。そして、録画処理手段２９２Ａは、視聴状態認識手段２９２Ｃで、出力装置３００からの選局チャンネル情報に基づいて、利用者が例えば候補録画番組を視聴していることを認識すると、この視聴されている候補録画番組ではなく選択録画番組の録画処理を実施する。このため、記録再生装置２００は、重複している録画時間帯において録画予約された例えば「ドラマＡ」を視聴している場合、この「ドラマＡ」と重複して録画予約された「スポーツＢ」を録画できる。このため、記録再生装置２００は、例えば重複して録画予約された「ドラマＡ」を録画している状態において、チャンネル変更により利用者がこの「ドラマＡ」の視聴を開始した場合、この録画している「ドラマＡ」に換えて重複して録画予約された「スポーツＢ」を録画できる。したがって、利用者は、例えばチャンネル変更により録画が開始されているコンテンツの視聴を開始した場合であっても、重複して録画予約した嗜好に合う両方のコンテンツをリアルタイムまたは録画されたコンテンツの再生により視聴できる。よって、記録再生装置２００は、適切にコンテンツを録画できる。
【００７２】
また、選択録画番組設定手段２９２Ｄは、録画処理手段２９２Ａにて、重複録画予約が存在することを認識すると、切換カウンタ２９４の切換カウンタ値を「２」に設定する。この後、選択録画番組の切換処理を実施する毎に、切換カウンタ値から「１」を減じる。そして、選択録画番組設定手段２９２Ｄは、切換カウンタ値が「０」になっていることを認識すると、例えば録画中の「ドラマＡ」の視聴が開始された場合であっても、選択録画番組の切換処理を実施せずに「ドラマＡ」の録画処理を実施する。このため、記録再生装置２００は、例えばチャンネル変更が２回以上実施されたとしてもコンテンツを２回だけ切り換えた状態で録画できる。したがって、記録再生装置２００は、切換回数の制限を設けない構成のように一般的に内容を途切れさせたくない例えばドラマなどを多数回途切れた状態で録画することがなく、より適切にコンテンツを録画できる。
【００７３】
そして、選択録画番組設定手段２９２Ｄは、選択録画番組および選択候補番組のジャンルがスポーツであることを認識すると、切換カウンタ値から「１」を減じずに選択録画番組の切換処理を実施する。このため、記録再生装置２００は、選択録画番組および選択候補番組のジャンルがスポーツの場合、各コンテンツをチャンネル変更の回数だけ切り換えた状態で録画できる。したがって、記録再生装置２００は、一般的に内容が途切れても問題が少ないスポーツを多数回途切れた状態で録画でき、利用者に両方のスポーツの進行状況をリアルタイムまたは録画されたコンテンツの再生により視聴させることができる。よって、記録再生装置２００は、さらに適切にコンテンツを録画できる。
【００７４】
さらに、視聴状態認識手段２９２Ｃは、例えばチャンネル変更により変更後視聴番組がそれまで録画していた選択録画番組の「スポーツＢ」になった場合、チャンネル変更直前に視聴されていた候補録画番組の「ドラマＡ」の視聴状態を認識する。そして、この視聴状態が所定状態であることを認識すると、選択録画番組の切換処理を実施せずにそれまで録画していた「スポーツＢ」の録画を継続する。このため、記録再生装置２００は、チャンネル変更によりそれまで録画していた選択録画番組の視聴が開始された場合、それまで視聴されていた候補録画番組に対する関心度や満足度などに対応する視聴状態に基づいて、録画するコンテンツを適宜選択できる。したがって、記録再生装置２００は、より適切にコンテンツを録画できる。
【００７５】
そして、切換割合設定手段２９２Ｂは、重複する各録画予約に対応するコンテンツに対して、選択録画番組を切り換える際の基準となる切換基準割合を設定する。また、視聴状態認識手段２９２Ｃは、変更後視聴番組が例えば「スポーツＢ」になった場合、それまで視聴されていた「ドラマＡ」の視聴時間の長さを「ドラマＡ」の録画予約時間の長さで除した値を視聴割合として認識する。この後、視聴状態認識手段２９２Ｃは、この「ドラマＡ」の視聴割合が切換基準割合以下か否かに基づいて、選択録画番組の切換処理を実施させる。このため、記録再生装置２００は、例えば録画予約時間が６０分のコンテンツの視聴時間が１０分の場合と、録画予約時間が２０分のコンテンツの視聴時間が１０分の場合と、で候補録画番組の関心度や満足度などが異なるものであると認識でき、この関心度などを対応させて録画するコンテンツを選択できる。したがって、記録再生装置２００は、さらに適切にコンテンツを録画できる。
【００７６】
また、切換割合設定手段２９２Ｂは、切換基準割合をコンテンツのジャンルに対応させた値に設定する。このため、記録再生装置２００は、候補録画番組の視聴割合が同じであっても関心度や満足度などが異なる場合があるジャンルに応じて録画するコンテンツの選択状態を設定でき、より適切にコンテンツを録画できる。
【００７７】
さらに、選択録画番組設定手段２９２Ｄは、重複する録画予約の録画開始日時が一致することを認識すると、各録画予約に対応する優先度情報５２３の優先度が高いコンテンツを選択録画番組として設定する。そして、録画制御手段２９２は、重複する録画予約のコンテンツが視聴されていないことを認識すると、この選択録画番組すなわち優先度が高いコンテンツの録画処理を実施する。このため、記録再生装置２００は、重複する録画時間において重複して録画予約された両方のコンテンツが視聴されていない場合、利用者の嗜好を反映する優先度に基づいたコンテンツを録画できる。したがって、記録再生装置２００は、さらに適切にコンテンツを録画できる。
【００７８】
そして、録画処理手段２９２Ａは、現在時刻が重複する録画予約のうちのいずれか一方のみの録画時間であることを認識すると、この録画時間のコンテンツの優先度や視聴状態にかかわらず、このコンテンツの録画処理を実施する。このため、記録再生装置２００は、重複する録画予約のうちのいずれか一方のみの録画時間において、この録画時間のコンテンツを確実に録画でき、より適切にコンテンツを録画できる。
【００７９】
〔実施の形態の変形〕
なお、本発明は、上述した一実施の形態に限定されるものではなく、本発明の目的を達成できる範囲で以下に示される変形をも含むものである。
【００８０】
すなわち、選択録画番組の切換処理の切換回数に制限を設けない構成としてもよい。このような構成の場合、録画制御手段２９２は、ステップＳ１０４の処理の後にステップＳ１０６の処理を実施する。また、ステップＳ２０４の処理の後にステップＳ２０２の処理を実施する。さらに、ステップＳ２１１において、候補録画番組の視聴割合が切換基準割合以下であると判断した場合、ステップＳ２０４の処理を実施する。このため、ステップＳ１０５，Ｓ２０５，Ｓ２０６，Ｓ２１２の処理を省略でき、録画処理時における録画制御手段２９２の処理負荷を低減できる。また、録画制御手段２９２に切換カウンタ２９４を設ける必要がなく、録画制御手段２９２の構成を簡略化できる。
【００８１】
そして、選択録画番組設定手段２９２Ｄを本発明の所定回数設定手段として機能させ、この選択録画番組設定手段２９２Ｄにて、切換カウンタ値を各コンテンツのジャンルに応じて異なる値に設定する構成としてもよい。このような構成にすれば、記録再生装置２００は、重複して録画予約されたコンテンツのジャンルに応じて録画の切換状態を設定でき、より適切にコンテンツを録画できる。
【００８２】
さらに、選択録画番組および選択候補番組のジャンルがスポーツの場合であっても、切換カウンタ値に基づいて選択録画番組の切換処理を実施する構成としてもよい。このような構成の場合、録画制御手段２９２は、ステップＳ２０４の処理の後にステップＳ２０６の処理を実施する。このため、ステップＳ２０５の処理を省略でき、録画処理時における録画制御手段２９２の処理負荷を低減できる。
【００８３】
さらに、視聴状態認識手段２９２Ｃにて、録画していた選択録画番組の「スポーツＢ」の視聴が開始された場合、それまで視聴されていた候補録画番組の視聴割合ではなく視聴時間の長さに基づいて、選択録画番組の切換判断処理を実施する構成としてもよい。このような構成にすれば、視聴状態認識手段２９２Ｃは、視聴割合を認識する際に利用する視聴時間の長さに基づいて切換判断処理を実施できる。したがって、切換判断処理時における視聴状態認識手段２９２Ｃの処理負荷を低減できる。
【００８４】
また、視聴状態認識手段２９２Ｃにて、録画していた「スポーツＢ」の視聴が開始された場合、この録画していた選択録画番組の「スポーツＢ」のそれまでの視聴割合や視聴時間の長さなどの視聴状態に基づいて、選択録画番組の切換判断処理を実施する構成としてもよい。このような構成にすれば、記録再生装置２００は、それまで録画していた選択録画番組に対する関心度などに対応する視聴状態に基づいて、録画するコンテンツを適宜選択でき、より適切にコンテンツを録画できる。なお、録画していた「スポーツＢ」および視聴していた「ドラマＡ」の両方の視聴状態に基づいて、選択録画番組の切換判断処理を実施する構成としてもよい。
【００８５】
さらに、視聴状態認識手段２９２Ｃの代わりに記録状態認識手段としての録画状態認識手段を設け、録画していた「スポーツＢ」の視聴が開始された場合、それまで視聴されていた候補録画番組の「ドラマＡ」のそれまでの録画状態に基づいて、選択録画番組の切換判断処理を実施する構成としてもよい。このような構成にすれば、記録再生装置２００は、それまで視聴されていた候補録画番組に対する関心度などに対応する録画状態に基づいて、録画するコンテンツを適宜選択でき、より適切にコンテンツを録画できる。
【００８６】
また、録画状態認識手段にて、録画していた「スポーツＢ」の視聴が開始された場合、それまで視聴されていた候補録画番組の「ドラマＡ」を録画した時間の長さを「ドラマＡ」の録画予約時間の長さで除した値を録画済み割合として認識する。そして、この録画済み割合が例えば切換基準割合以下か否かに基づいて、選択録画番組の切換判断処理を実施する構成としてもよい。このような構成にすれば、記録再生装置２００は、例えば録画予約時間が６０分のコンテンツの録画時間が１０分の場合と、録画予約時間が２０分のコンテンツの録画時間が１０分の場合と、で候補録画番組の関心度や満足度などが異なるものであると認識でき、この関心度などを対応させて録画するコンテンツを選択できる。したがって、記録再生装置２００は、さらに適切にコンテンツを録画できる。
【００８７】
さらに、録画状態認識手段にて、録画していた「スポーツＢ」の視聴が開始された場合、それまで視聴されていた候補録画番組の録画済み割合ではなく録画した時間の長さに基づいて、選択録画番組の切換判断処理を実施する構成としてもよい。このような構成にすれば、視聴状態認識手段２９２Ｃは、録画済み割合を認識する際に利用する録画した時間の長さに基づいて切換判断処理を実施できる。したがって、切換判断処理時における視聴状態認識手段２９２Ｃの処理負荷を低減できる。
【００８８】
そして、録画状態認識手段にて、録画していた「スポーツＢ」の視聴が開始された場合、この録画していた「スポーツＢ」のそれまでの録画済み割合や録画した時間の長さなどの録画状態に基づいて、選択録画番組の切換判断処理を実施する構成としてもよい。このような構成にすれば、記録再生装置２００は、それまで録画していた選択録画番組に対する関心度などに対応する録画状態に基づいて、録画するコンテンツを適宜選択でき、より適切にコンテンツを録画できる。
【００８９】
また、視聴状態認識手段２９２Ｃの代わりに残り状態認識手段を設け、録画していた「スポーツＢ」の視聴が開始された場合、それまで視聴されていた候補録画番組の「ドラマＡ」の録画の残り状態を認識し、この録画の残り状態に基づいて、選択録画番組の切換判断処理を実施する構成としてもよい。このような構成にすれば、記録再生装置２００は、それまで視聴されていた候補録画番組に対する関心度などに対応する録画の残り状態に基づいて、録画するコンテンツを適宜選択でき、より適切にコンテンツを録画できる。なお、録画していた「スポーツＢ」および視聴していた「ドラマＡ」の両方の録画状態に基づいて、選択録画番組の切換判断処理を実施する構成としてもよい。
【００９０】
さらに、残り状態認識手段にて、録画していた「スポーツＢ」の視聴が開始された場合、それまで視聴されていた「ドラマＡ」の残りの録画時間の長さを「ドラマＡ」の録画予約時間の長さで除した値を録画残り割合として認識する。そして、この録画済み割合が例えば切換基準割合以下か否かに基づいて、選択録画番組の切換判断処理を実施する構成としてもよい。このような構成にすれば、記録再生装置２００は、例えば録画予約時間が６０分のコンテンツにおける残りの録画時間が１０分の場合と、録画予約時間が２０分のコンテンツにおける残りの録画時間が１０分の場合と、で候補録画番組の関心度などが異なるものであると認識でき、この関心度などを対応させて録画するコンテンツを選択できる。したがって、記録再生装置２００は、さらに適切にコンテンツを録画できる。
【００９１】
そして、残り状態認識手段にて、録画していた「スポーツＢ」の視聴が開始された場合、それまで視聴されていた候補録画番組の録画残り割合ではなく残りの録画時間の長さに基づいて、選択録画番組の切換判断処理を実施する構成としてもよい。このような構成にすれば、視聴状態認識手段２９２Ｃは、録画残り割合を認識する際に利用する残りの録画時間の長さに基づいて切換判断処理を実施できる。したがって、切換判断処理時における視聴状態認識手段２９２Ｃの処理負荷を低減できる。
【００９２】
また、残り状態認識手段にて、録画していた「スポーツＢ」の視聴が開始された場合、この録画していた「スポーツＢ」のそれまでの録画残り割合や残りの録画時間の長さなどの録画の残り状態に基づいて、選択録画番組の切換判断処理を実施する構成としてもよい。このような構成にすれば、記録再生装置２００は、それまで録画していた選択録画番組に対する関心度などに対応する録画の残り状態に基づいて、録画するコンテンツを適宜選択でき、より適切にコンテンツを録画できる。なお、録画していた「スポーツＢ」および視聴していた「ドラマＡ」の両方の録画の残りの状態に基づいて、選択録画番組の切換判断処理を実施する構成としてもよい。
【００９３】
さらに、録画の残りの状態ではなく、選択録画番組や候補録画番組の放送時間の残りの状態に基づいて、選択録画番組の切換判断処理を実施する構成としてもよい。このような構成にすれば、例えば録画予約の時間がコンテンツの放送時間と一致していない場合、録画の残り状態を反映させる構成と比べて、選択録画番組や候補録画番組に対する関心度などをより適切に反映させて、録画するコンテンツを適宜選択できる。したがって、記録再生装置２００は、さらに適切にコンテンツを録画できる。
【００９４】
そして、切換割合設定手段２９２Ｂを設けずに、切換基準割合をコンテンツのジャンルにかかわらず所定の割合に設定する構成としてもよい。このような構成の場合、録画制御手段２９２は、ステップＳ１０２において重複録画が存在すると判断した場合、ステップＳ１０４の処理を実施する。このため、ステップＳ２０３の処理を省略でき、録画処理時における録画制御手段２９２の処理負荷を低減できる。また、録画制御手段２９２の構成を簡略にできる。
【００９５】
さらに、選択録画番組設定手段２９２Ｄにて、重複する録画予約の録画開始日時が一致することを認識した際に、優先度情報５２３以外の情報、例えば録画予約が設定された日時に関する録画設定日時情報などに基づいて、選択録画番組を設定する構成としてもよい。このような構成にすれば、予約情報５２０に優先度情報５２３を組み込む必要がなくなり、予約情報５２０の構成を簡略にできる。また、録画予約設定手段２９１に優先度情報５２３を生成する機能を設ける必要がなく、録画予約設定手段２９１の構成を簡略にできる。
【００９６】
そして、変更後番組が選択録画番組および候補録画番組でないことを認識した際に、選択録画番組を優先度が高いコンテンツに設定する構成としてもよい。このような構成にすれば、記録再生装置２００は、上記実施の形態の構成と比べて、優先度が高いコンテンツの録画時間を適宜長くでき、コンテンツをより適切に録画できる。
【００９７】
さらに、現在時刻が重複する録画予約のうちのいずれか一方のみの録画時間であることを認識し、かつ、この録画時間に録画するコンテンツが視聴されていることを認識した場合、このコンテンツを録画しない構成としてもよい。このような構成にすれば、記録再生装置２００は、上記実施の形態の構成と比べて、録画するコンテンツの長さを短くでき、ＨＤＤ２７０により多くのコンテンツを録画できる。
【００９８】
また、３つ以上の録画予約が重複した際に、例えば以下のような処理を実施する構成としてもよい。すなわち、例えば３つの録画予約が重複している場合、これらの録画予約のうちのいずれか１つの録画予約に対応するコンテンツを選択録画番組として設定するとともに、残りの２つの録画予約に対応するコンテンツを候補録画番組として設定する。そして、変更後視聴番組が選択録画番組であることを認識した際に、候補録画番組のうちのいずれか一方を選択録画番組として設定する構成としてもよい。ここで、候補録画番組から選択録画番組として設定するコンテンツを選択する構成としては、各候補録画番組の例えば優先度情報５２３の優先度、視聴割合などの視聴状態、録画済み割合などの録画状態、録画残り割合などの録画の残り状態などに基づいて、選択する構成が例示できるがこれらに限られずいずれの構成としてもよい。このような構成にすれば、利用者は、３つ以上の録画予約が重複している状態において、例えばチャンネル変更により録画が開始されているコンテンツの視聴を開始した場合であっても、重複して録画予約した嗜好に合う全てのコンテンツをリアルタイムまたは録画されたコンテンツの再生により適宜視聴できる。したがって、記録再生装置２００は、より適切にコンテンツを録画できる。
【００９９】
そして、切換基準割合や切換カウンタ値を、利用者による入力手段２６０の設定入力に基づいて設定できる構成としてもよい。このような構成にすれば、記録再生装置２００は、利用者の嗜好に合う状態で重複録画予約されたコンテンツを録画できる。したがって、記録再生装置２００は、ジャンルがスポーツであっても、オリンピックなどの特別なコンテンツを多数回途切れた状態で録画することがなく、さらに適切にコンテンツを録画できる。
【０１００】
さらに、選択録画番組および候補録画番組が特定の地点などからの実況的なもの、複数の企画が存在する例えばワイドショー、ドキュメンタリーなどの場合、切換回数の制限を設けずに選択録画番組の切換処理を実施する構成としてもよい。このような構成にすれば、記録再生装置２００は、実況的なもの、ワイドショー、ドキュメンタリーなどを多数回途切れた状態で録画でき、利用者に両方のコンテンツをリアルタイムまたは録画されたコンテンツの再生により視聴させることができる。よって、記録再生装置２００は、さらに適切にコンテンツを録画できる。
【０１０１】
そして、例えば「ドラマＡ」が視聴され、「スポーツＢ」を録画している状態において、「スポーツＢ」がコマーシャルに切り換わった際に、視聴中の「ドラマＡ」の録画を開始し、「スポーツＢ」が再開された際に「スポーツＢ」の録画を再開する構成としてもよい。このような構成にすれば、記録再生装置２００は、コマーシャルが存在しない状態で利用者の嗜好に合う両方のコンテンツを録画できる。したがって、記録再生装置２００は、コンテンツをさらに適切に録画できる。
【０１０２】
また、本発明のデータ処理装置を記録再生装置２００に適用した構成に限らず、コンテンツデータを記録するのみの記録装置に適用してもよい。また、本発明のコンテンツデータとしてテレビ放送番組のコンテンツデータを例示したが、これに限らず、ラジオ放送番組、衛星放送番組、配信される音楽や映像などのコンテンツなどをもコンテンツデータの対象とすることができ、コンテンツデータを記録させるいずれの構成が適用できる。また、本発明のデータ処理装置を、録画予約設定手段２９１および録画制御手段２９２を独立させた構成に適用してもよい。
【０１０３】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【０１０４】
その他、本発明の実施の際の具体的な構造および手順は、本発明の目的を達成できる範囲で他の構造などに適宜変更できる。
【０１０５】
〔実施形態の作用効果〕
上述したように、上記実施の形態では、記録再生装置２００のＣＰＵ２９０は、録画制御手段２９２にて、現在時刻が予約情報５２０における録画開始日時であることを認識し、かつ、この予約情報５２０と録画時間帯が重複する予約情報５２０が存在することを認識すると、この重複する予約情報５２０を取得する。また、重複する録画予約のうちのいずれか一方に対応する予約番組を選択録画番組として設定するとともに、いずれか他方を候補録画番組として設定する。そして、利用者が例えば候補録画番組を視聴していることを認識すると、選択録画番組の録画処理を実施する。このため、記録再生装置２００は、例えば重複して録画予約された「ドラマＡ」を録画している状態において、チャンネル変更により利用者がこの「ドラマＡ」の視聴を開始した場合、この録画している「ドラマＡ」に換えて重複して録画予約された「スポーツＢ」を録画できる。したがって、利用者は、例えばチャンネル変更により録画が開始されているコンテンツの視聴を開始した場合であっても、重複して録画予約した嗜好に合う両方のコンテンツをリアルタイムまたは録画されたコンテンツの再生により視聴できる。よって、記録再生装置２００は、適切にコンテンツを録画できる。
【図面の簡単な説明】
【０１０６】
【図１】本発明の一実施の形態に係るコンテンツ記録再生システムの概略構成を示すブロック図である。
【図２】本発明の一実施の形態における録画予約リスト情報の概略構成を示す模式図である。
【図３】本発明の一実施の形態における視聴状態情報の概略構成を示す模式図である。
【図４】本発明の一実施の形態における記録再生装置を構成するＣＰＵの概略構成を示す模式図である。
【図５】本発明の一実施の形態におけるコンテンツの録画処理を示すフローチャートである。
【図６】本発明の一実施の形態における重複する録画予約の録画開始日時が一致する場合における記録再生システムの動作を示すタイミングチャートであり、（Ａ）は時刻を示すグラフ、（Ｂ）は５ｃｈで配信される放送番組を示すグラフ、（Ｃ）は１２ｃｈで配信される放送番組を示すグラフ、（Ｄ）は視聴されている番組を示すグラフ、（Ｅ）は録画する番組を示すグラフである。
【図７】本発明の一実施の形態における重複する録画予約の録画開始日時が一致しない場合における記録再生システムの動作を示すタイミングチャートであり、（Ａ）は時刻を示すグラフ、（Ｂ）は５ｃｈで配信される放送番組を示すグラフ、（Ｃ）は１２ｃｈで配信される放送番組を示すグラフ、（Ｄ）は視聴されている番組を示すグラフ、（Ｅ）は録画する番組を示すグラフである。
【図８】本発明の一実施の形態における切換録画処理を示すフローチャートである。
【符号の説明】
【０１０７】
２７０    記録媒体としてのＨＤＤ
２９０    演算手段としてのＣＰＵ
２９１    データ処理装置を構成する予約手段としての録画予約設定手段
２９２    データ処理装置を構成する録画制御手段
２９２Ａ  検出手段としても機能する記録制御手段としての録画処理手段
２９２Ｂ  所定状態設定手段としての切換割合設定手段
２９２Ｃ  特定情報取得手段としても機能する出力状態認識手段としての視聴状態認識手段
２９２Ｄ  所定回数設定手段としても機能しうる記録制御手段としても機能する選択録画番組設定手段
３００    出力装置
５２１Ｂ  記録期間情報としての録画開始日時情報
５２１Ｃ  記録期間情報としての録画終了日時情報
５２２    内容情報としての予約ジャンル情報
５２３    優先度情報
【図１】
2006129364.tif 000003
【図２】
2006129364.tif 000004
【図３】
2006129364.tif 000005
【図４】
2006129364.tif 000006
【図５】
2006129364.tif 000007
【図６】
2006129364.tif 000008
【図７】
2006129364.tif 000009
【図８】
2006129364.tif 000010